(57)【要約】【課題】植物の生育を促進し得る傾斜地緑化工法を提供する。【解決手段】傾斜地１に固定されるアンカー材２と、アンカー材２に固定した土留板３とを備えた緑化用アンカー４を用い、複数の緑化用アンカー４を相互に間隔をあけて傾斜地１に対して固定した後、傾斜地１に対して基盤材５を吹き付け施工する際に、各緑化用アンカー４の土留板３の山側に施工する基盤材５の厚さが、土留板３から山側へ行くにしたがって薄くなるように基盤材５を吹き付け施工して、基盤材５の上面に傾斜地１よりも緩傾斜の緑化促進面６を形成する。【選択図】        図１
2007297889.tif 000002
【特許請求の範囲】
【請求項１】
傾斜地に固定されるアンカー材と、アンカー材に固定した土留板とを備えた緑化用アンカーを用い、複数の緑化用アンカーを相互に間隔をあけて傾斜地に対して固定した後、傾斜地に対して基盤材を吹き付け施工する際に、各緑化用アンカーの土留板の山側に施工する基盤材の厚さが、土留板から山側へ行くにしたがって薄くなるように基盤材を吹き付け施工して、基盤材の上面に傾斜地よりも緩傾斜の緑化促進面を形成することを特徴とする傾斜地緑化工法。
【請求項２】
前記基盤材として基盤砂と植生基盤とを用い、基盤砂を吹き付け施工した後、基盤砂の上側に保護網を施工し、その後植生基盤を保護網上に吹き付け施工する請求項１記載の傾斜地緑化工法。
【請求項３】
前記基盤材の吹き付け前に、土留板の前側の傾斜地上に保水材を施工する請求項１又は２記載の傾斜地緑化工法。
【請求項４】
前記緑化促進面上に砂礫層を吹き付け施工した請求項１〜３のいずれか１項記載の傾斜地緑化工法。
【請求項５】
前記緑化用アンカーとして、アンカーピンの上部に土留板を固定したものを用いた請求項１〜４のいずれか１項記載の傾斜地緑化工法。
【請求項６】
前記アンカー材として、傾斜地への取付部と土留板の固定部とを有する固定具と、固定具の取付部を傾斜地に対して固定するためのアンカーピン又はアンカー釘とを有するものを用いた請求項１〜４のいずれか１項記載の傾斜地緑化工法。
【請求項７】
前記緑化用アンカーを、傾斜地の傾斜方向及びそれと直交する方向に千鳥掛け状に固定した請求項１〜６のいずれか１項記載の傾斜地緑化工法。
【請求項８】
前記土留板として、竹を用いた請求項１〜７のいずれか１項記載の傾斜地緑化工法。
【発明の詳細な説明】
【技術分野】
【０００１】
本発明は、山の傾斜地、特にコンクリ−トやモルタル等を施工した擁壁面を緑化するのに好適な傾斜地緑化工法に関する。
【背景技術】
【０００２】
コンクリ−トやモルタル等を打設して強化した擁壁面は、固化したコンクリ−トが露出して景観を害するとともに、自然環境を損なうことから、新設の擁壁面は勿論のこと、既設の擁壁面においても、緑化工事が推進されている。
【０００３】
緑化工事の方法としては、擁壁面に打ち込まれるアンカーピンと、アンカーピンに固定した土留板とを備えた緑化用アンカーを用い、この緑化用アンカーを傾斜地の傾斜方向及び直交方向に相互に間隔をあけて複数固定した後、土留板が略埋まるまで傾斜地に対して基盤砂を吹き付け施工し、次に基盤砂の上側に保護網を敷設施工し、その後植生基盤を保護網上に吹き付け施工する傾斜地緑化工法が提案され、実施されている（例えば、特許文献１参照。）。
【０００４】
また、植生基盤として、植物種子と、種子の発芽・育生を行うための土壌改良材と、肥料等を混合した植生基盤を用い、植物の生育を促進するように構成した傾斜地緑化工法も提案され、実施されている（例えば、特許文献２参照。）。
【特許文献１】特開平１０−３７２２０号公報
【特許文献２】特開平７−４８８４１号公報
【発明の開示】
【発明が解決しようとする課題】
【０００５】
ところで、植物は、傾斜面よりも水平面の方が育ち易いことが知られているが、擁壁等においては４５°以上の急勾配の場合も多々あり、特許文献１、２記載の傾斜地緑化工法では、吹き付けた基盤材の表面が擁壁面と略並行な傾斜面となる関係上、どうしても植物の生育が遅くなるという問題があった。
【０００６】
本発明の目的は、植物の生育を促進し得る傾斜地緑化工法を提供することである。
【課題を解決するための手段】
【０００７】
本発明に係る傾斜地緑化工法は、傾斜地に固定されるアンカー材と、アンカー材に固定した土留板とを備えた緑化用アンカーを用い、複数の緑化用アンカーを相互に間隔をあけて傾斜地に対して固定した後、傾斜地に対して基盤材を吹き付け施工する際に、各緑化用アンカーの土留板の山側に施工する基盤材の厚さが、土留板から山側へ行くにしたがって薄くなるように基盤材を吹き付け施工して、基盤材の上面に傾斜地よりも緩傾斜の緑化促進面を形成するものである。
【０００８】
この傾斜地緑化工法では、傾斜面に対して緑化用アンカーを施工した後、基盤材を吹き付け施工するときに、緑化用アンカーの土留板の山側に施工する基盤材の厚さが、土留板から山側へ行くにしたがって薄くなるように基盤材を吹き付け施工して、基盤材の上面に傾斜地よりも緩傾斜の緑化促進面を形成するので、緑化促進面における植物の生育を促進できる。また、緑化促進面が緩傾斜になるので、降雨による基盤材の流失も抑制できる。
【０００９】
ここで、前記基盤材として基盤砂と植生基盤とを用い、基盤砂を吹き付け施工した後、基盤砂の上側に保護網を施工し、その後植生基盤を保護網上に吹き付け施工することが好ましい実施の形態である。この場合には、基盤材の吹き付け厚さが厚い場合に特に有効である。つまり、基盤材としては、バーク堆肥、木質破砕チップ等の母材に対して、植物の種子や肥料や結合材を混合した植生基盤が広く使用されているが、吹き付け厚さが厚い場合には、土中深くに配置された種子については発芽しないことがある。このため、植生基盤は、必要以上に厚くしても、植物の生育の促進にはなんら寄与しない点と、傾斜地においては、雨水が地表に沿って流れてしまい、植物の生育に必要な水分を十分に確保できない点から、本発明のように、保水性に優れた基盤砂を吹き付けた後、植生基盤を吹き付けて、基盤材を２層構造に構成し、植生基盤を適正な厚さに設定しつつ、基盤砂により保水性を高めて、植物の生育を促進することが好ましい。
【００１０】
前記基盤材の吹き付け前に、土留板の前側の傾斜地上に保水材を施工することも好ましい実施の形態である。この場合には、植物の生育に必要な水分を保水材によっても確保できるので、緑化促進面における植物の生育を一層促進することができる。
【００１１】
前記緑化促進面上に砂礫層を吹き付け施工することも好ましい実施の形態である。このように構成することで、砂礫層により、緑化促進面における水分の蒸発を抑制して、緑化促進面における植物の生育を一層促進することができる。
【００１２】
前記緑化用アンカーとして、アンカーピンの上部に土留板を固定したものを用いることができる。このように構成すると、アンカーピンと土留板とで緑化用アンカーを構成できるので、緑化用アンカーの製作コストを低減できるとともに、１本のアンカーピンを傾斜地に打ち込むだけでよいので、緑化用アンカーの施工性を向上できる。
【００１３】
前記アンカー材として、傾斜地への取付部と土留板の固定部とを有する固定具と、固定具の取付部を傾斜地に対して固定するためのアンカーピン又はアンカー釘とを有するものを用いることもできる。この場合には、アンカー材の構成が多少複雑になるが、コンクリート釘等からなるアンカー釘によりアンカー材を傾斜面に固定できるので、アンカーピンのみで固定する場合と比較して、緑化用アンカーの施工性を向上できる。
【００１４】
前記緑化用アンカーを、傾斜地の傾斜方向及びそれと直交する方向に千鳥掛け状に固定することもできる。千鳥掛け状とは、傾斜地の傾斜方向及びそれと直交する方向を、上下方向及び左右方向と定義して説明すると、上下方向及び左右方向にそれぞれ一定ピッチで複数の緑化用アンカーを傾斜地に固定するとともに、上下に隣接配置される緑化用アンカーの左右方向への配設ピッチの位相を半ピッチだけ左右方向にずらし、しかも上下に隣接配置される緑化用アンカーの土留板の両端部が、左右方向の同じ位置に配置されるか、あるいは一定長さ重複するように配置されていることを意味する。そして、このように緑化用アンカーを千鳥掛け状に配置することで、雨水とともに流下しようとする基盤材を傾斜地の略全ての部分で阻止することが可能となる。
【００１５】
前記土留板として、竹を用いることもできる。土留板としては、鉄板等の金属板を用いることもできるが、竹を用いることで、その製作コストを低減できるし、自然環境にも優しい傾斜地緑化が可能となる。竹は半割にして用いることもできるが、腐敗を極力防止するため、１本ものの竹を設定長さに切断して用いることができる。このような竹は、土中において４〜５年間、朽ちることなくその強度を保持でき、その間に植物が十分に根付くので、竹が朽ちた後においても、基盤材が剥離することはない。また、現地で調達した竹を利用して緑化用アンカーを構成することも可能なので、地場産業の発展にも貢献できる。
【発明の効果】
【００１６】
本発明に係る傾斜地緑化工法によれば、傾斜面に対して緑化用アンカーを施工した後、基盤材を吹き付け施工するときに、緑化用アンカーの土留板の山側に施工する基盤材の厚さが、土留板から山側へ行くにしたがって薄くなるように基盤材を吹き付け施工して、基盤材の上面に傾斜地よりも緩傾斜の緑化促進面を形成するので、緑化促進面における植物の生育を促進できる。また、緑化促進面が緩傾斜になるので、降雨による基盤材の流失も抑制できる。
【発明を実施するための最良の形態】
【００１７】
以下、本発明の実施の形態について図面を参照しながら説明する。
図１に示すように、傾斜地緑化工法は、傾斜地１に固定されるアンカー材２と、アンカー材２に固定した土留板３とを備えた緑化用アンカー４を用い、複数の緑化用アンカー４を相互に間隔をあけて傾斜地に対して固定した後、傾斜地１に対して基盤材５を吹き付け施工する際に、各緑化用アンカー４の土留板３の山側に施工する基盤材５の厚さが、土留板３から山側へ行くにしたがって薄くなるように基盤材５を吹き付け施工して、土留板３の山側における基盤材５の上面に傾斜地１よりも緩傾斜の緑化促進面６が形成されるように基盤材５を吹き付け施工するものである。本実施の形態では、基盤材５の吹き付け前に、土留板３の山側の傾斜地１上に保水材７を敷設施工し、また基盤材５として基盤砂８と植生基盤９とを用い、基盤砂８を吹き付け施工した後、基盤砂８の上側に保護網１０を施工し、その後植生基盤９を保護網１０上に吹き付け施工するように構成されている。また、本実施の形態では、地盤１１の上面にコンクリート又はモルタルなどからなる硬質傾斜地１２を予め施工した法面からなる傾斜地１を緑化する場合について説明するが、地肌が露出した地盤１１からなる傾斜地を緑化する場合についても本発明を同様に適用できる。
【００１８】
緑化用アンカー４は、図１、図２に示すように、下端を先鋭に構成したステンレス製丸棒のアンカーピンからなるアンカー材２と、アンカー材２の上部にアンカー材２から側方へ張り出すように固定した土留板３とを備えている。
【００１９】
アンカー材２としては、丸棒のアンカーピン以外にパイプ状や板状に形成したものを採用することもできる。またアンカー材２の素材は、ステンレス鋼に限らず、炭素工具鋼、コーテッド超硬合金、ハイス等の金属、また、軽合金、セラミックス、プラスチック、硬質ゴム等を採用することもできる。
【００２０】
この土留板３は、鋼材、アルミニウム合金等の金属材料、強化プラスチック材料または、エンジニアリングプラスチックス材料等からなる、正面視略長方形状の板状部材で構成することができる。単なる平板状の板状部材で構成することもできるが、アンカー材２を中心とした曲げ方向への強度剛性を高めるため、側面視波型形状の板状部材や、長手方向に細長い凹部を形成した板状部材を用いることが好ましい。また、自然環境を保護するため、木材や竹などの木質系材料で構成するこのも可能で、特に竹は木材と比較して腐敗し難いので好ましい。
【００２１】
アンカー材２に対する土留板３の固定方法は、溶接又は接着により固定したり、ボルトなどの固定具を用いて固定したり、これらを任意に組み合わせて固定することができる。また、土留板３とアンカー材２との接触面積を大きく設定して、両者の結合強度を高めるため、土留板３の長手方向の中央部にアンカー材２が嵌合する上下方向の凹溝を形成することもできる。更に、２枚の板状部材を重ね合わせて土留板３を構成し、アンカー材２を両板状部材間に挟持して、土留板３とアンカー材２を一体化することも可能である。
【００２２】
尚、傾斜地１に対する基盤材５の吹き付け時、緑化用アンカー４が回転しないように、アンカー材２の途中部や先端部に側方へ張り出した突起を設け、この突起を傾斜地１に係合させることで、緑化用アンカー４の回転が規制されるように構成することも好ましい実施の形態である。
【００２３】
アンカー材２の上端部と土留板３の上端部とは同じ高さに設定することもできるが、アンカー材２の上端部を土留板３の上端部よりも一定高さ高い位置に設定すると、アンカー材２の上端部が保護網１０に係合して、保護網１０の位置ズレを防止できるとともに、植生基盤９の吹き付け高さをアンカー材２の上端部の突出具合で確認しながら植生基盤９を吹き付け施工できるので、植生基盤９を適正分量だけ精度良く吹き付け施工することができる。土留板３の上縁の両端部には取付孔１３が形成され、この取付孔１３には保護網１０を土留板３に固定するための金属製或いは合成樹脂製の固定紐１４が取り付けられている。
【００２４】
基盤材５は、基盤砂８と植生基盤９とを備えている。基盤材５を施工するときには、先ず土留板３の山側に保水材７を配置させ、その後傾斜地１に基盤砂８を吹き付けてから、基盤砂８の上に保護網１０を敷設し、最後に保護網１０の上側から植生基盤９を吹き付け施工することで、傾斜地１上に施工されている。
【００２５】
基盤砂８は、川砂又は山砂と、水と、バインダーと、緑化基盤材と、植物生育材とを混合したものである。砂としては、施工場所の土や山砂を採用できる。バインダーとしては、各種セメント、水ガラス、石膏、その他有機系高分子物質等を採用できる。緑化基盤材としては、例えばヤシガラ、稲ワラ等の有機系繊維状物、有機系活性肥料、腐葉土、ピートモス、バーク堆肥、その他の腐植酸物質等を採用できる。植物生育材としては、例えば窒素（Ｎ）、燐酸（Ｐ）、カリ（Ｋ）等の固形肥料、または化成肥料、石灰（Ｃａ）、マンガン（Ｍｎ）、モリブデン（Ｍｏ）等の微量要素、その他各種の植生生育促進剤等を採用できる。基盤砂８を構成する各素材の配合比率は傾斜地の環境等に応じて任意に設定できる。
【００２６】
植生基盤９は、有機系活性肥料と、鉱物焼成軽量材と、腐植酸物質と、高分子凝集剤と、植物種子とを混合したものである。植物種子としては、例えば芝生、ケンタッキー、クリーピング、チモシー、ヤマハギ等を採用できる。有機系活性肥料としては、例えばバーク堆肥、ピートモス、腐葉土（緑肥）等の各種植物系再生利用材を採用できる。高分子凝集剤としては、例えばアクリル系樹脂、ポリビニル系（ＰＶＣ）樹脂、メラミン樹脂等の粘着性高分子材料を採用できる。鉱物焼成軽量材としては、例えば真珠岩焼死発泡体、黒曜石焼成発泡体、ひる石焼成発泡体、珪藻土焼成粒等がある。上記腐植酸物質としては、例えばモミガラ、稲ワラ、落葉等の腐植酸物質、緑肥等の各種植物系再生利用材を採用できる。植生基盤９を構成する各素材の配合比率は施工環境等に応じて任意に設定できる。
【００２７】
保護網１０は、金網や合成樹脂網で構成でき、本発明では特に基盤材５の上面に沿って容易に変形操作可能な比較的軟質な素材からなる金網や合成樹脂網を好適に利用できる。合成樹脂網としては、土木分野で広く用いられているジオテキスタイルのうち、ポリプロピレンやポリアミドなどの合成高分子材料を素材とする引張強度に優れたジオグリッドを採用できる。
【００２８】
保水材７としては、ポリウレタンなどの発泡合成樹脂などに限らず、たとえば石綿、ガラス綿、微粉鉱物などを素材にした保水材７を用いてもよい。そして、その施工方法も液状にして吹き付ける方法、微粉状にして吹き付ける方法、あるいは板状に構成して敷設する方法等から任意に選択できる。本実施の形態では、土留材３付近における土留材３の山側のみに保水材７を敷設したが、緑化促進面６に対応する範囲に保水材７を配置させることも好ましい実施の形態である。
【００２９】
各緑化用アンカー４の土留板３の山側に施工する基盤砂８の厚さは、土留板３から山側へ行くにしたがって薄くなるように吹き付け施工され、土留板３に最も近い厚肉部分において土留板３の高さと略同じになるように設定されている。植生基盤９の厚さは、全体に亙って略一様になるように吹き付け施工され、これによって基盤材５の厚さは、土留板３から山側へ行くにしたがって薄くなり、基盤材５の上面に傾斜地１よりも緩傾斜の緑化促進面６が形成されることによって、緑化促進面６における植物の生育が促進される。但し、植生基盤９についても、土留板３から山側へ行くにしたがって薄くなるように吹き付け施工することも可能である。また、本実施の形態では、緑化促進面６を勾配が略一様な略平坦な傾斜面で構成したが、土留板３から上側へ行くにしたがって、勾配が大きくなるような湾曲面状に構成することができ、例えば上下に隣接配置される土留板３間において、下側の土留板３付近の緑化促進面６が略水平面となり、上側の土留板３付近の緑化促進面６が傾斜地１と略同じ勾配となるような側面視２次曲線状の湾曲面状に形成することもできる。
【００３０】
土留板３の具体的な厚さは、土留板３の高さが１２ｃｍの場合には、基盤砂８の最も厚い部分を１２ｃｍと、最も薄い部分を２〜３ｃｍに設定することができる。この場合には、植生基盤９の厚さは３〜７ｃｍ程度に設定することになる。
【００３１】
尚、図１に仮想線で示すように、緑化促進面６の上側に更に砂や小石などを吹き付け施工して砂礫層１７を形成し、基盤材５からの水分の蒸発を抑制するように構成することも好ましい実施の形態である。
【００３２】
次に、傾斜地緑化工法について説明する。この傾斜地緑化工法は、コンクリート又はモルタルなどからなる硬質傾斜地１２が予め施工された傾斜地１に本発明を適用した場合のものであるが、地肌が露出した傾斜地に対しても本発明を同様に適用できる。
【００３３】
先ず、図３、図４に示すように、厚さ１０〜３０ｃｍの既設の硬質傾斜地１２に、図示外の削岩機により、直径が例えば２０〜６０ｍｍの貫通孔１５を、１ｍ2 当り、例えば４〜１０個の割合で上下左右に間隔をあけて形成する。この貫通孔１５は、例えば地盤１１側の浸透水を集めて、基盤砂８側へ吸水し易くするための導水管（例えば毛細管作用を有する植生用筒体）を嵌挿したり、基盤砂８を充分に注入充填したりして、基盤砂８側へ十分な水分が供給されるようにするためのものである。また、この貫通孔１５とは別に、アンカー材２の直径に適合する孔径の挿通孔１６を、例えば左右方向に１ｍのピッチで且つ上下方向に１ｍのピッチで形成するとともに、隣接する上下の挿通孔１６の配設ピッチを左右方向に半ピッチ、即ち５０ｃｍだけ位相をずらして千鳥状に形成する。
【００３４】
次に、図３、図４に示すように、挿通孔１６にアンカー材２を差し込んで、土留板３が傾斜地１の傾斜方向に対して略直交するように、各挿通孔１６に緑化用アンカー４を打ち込み固定し、傾斜地１に対して複数の緑化用アンカー４を千鳥掛け状に固定する。つまり、土留板３の長さが５０ｃｍなので、上下に隣接する土留板３の両端部が左右方向に対して同じ位置に配置されるように、傾斜地１に対して緑化用アンカー４が固定されることになる。そして、このように傾斜地１に対して緑化用アンカー４を千鳥掛け状に配置させているので、雨水とともに流下しようとする植生基盤９を傾斜地１の略全ての部分で阻止することが可能となる。勿論、この緑化用アンカー４は、そのアンカー材２に一体化した土留板３が傾斜地に対して垂直に打ち込むことが、植生基盤９の流下を防止する上で最も有効である。各緑化用アンカー４の配列密度としては、少なくとも１本／ｍ2 とすることが好ましい。
【００３５】
次に、図４に示すように、土留板３の前側に保水材７を敷設した後、基盤砂８を吹き付け施工する。このとき、左右方向の同じ位置おいて上下に隣接配置される土留板３間における基盤砂８の厚さが、下側の土留板３から上側の土留板３側へ行くにしたがって基盤砂８の厚さが薄くなるように吹き付けることになり、下側の土留板３においては土留板３の上端が埋まる程度に基盤材５を吹き付け施工し、上側の土留板３においては１つ目の波形部が埋まる程度に基盤砂８を吹き付け施工する。ただし、基盤砂８の厚さが最も薄くなる薄肉部の位置は、必ずしも上側の土留板３或いはその付近に設定する必要はない。しかし、緑化促進面６の面積を十分に確保しつつ、緑化促進面６を極力水平面に近づけるため、両土留板３の中間位置よりも上側の位置に薄肉部が配置されるように設定することが好ましい。
【００３６】
次に、図１に示すように、基盤砂８を吹き付け施工した後、基盤砂８に沿って保護網１０を敷設し、土留板３に取り付けた固定紐１４で、土留板３を保護網１０に固定する。
【００３７】
次に、図１に示すように、保護網１０の上側から植生基盤９を略一様な厚さで吹き付け施工する。但し、土留板３の下側における植生基盤９の崩落を防止するため、土留板３の下側付近の植生基盤９は、他の部分よりも厚肉に植生基盤９を吹き付け施工することになる。
【００３８】
こうして、基盤砂８と植生基盤９からなる基盤材５を吹き付けた状態で、上下に隣接配置される土留板３間には傾斜地１の勾配よりも小さな勾配の緑化促進面６が形成されることになる。尚、緑化促進面６の勾配は、植物の生育を促進させるためには極力ゼロに近づけることが好ましいが、傾斜地１の勾配が大きい場合には、緑化促進面６の幅が狭くなり、傾斜地１全体を考慮すると、反対に植物の生育を阻害することがあるので、傾斜地１の勾配と緑化促進面６の勾配との差が２０°以下、好ましくは１０°以下になるように設定することが好ましい。
【００３９】
このように、緑化促進面６が少なくとも傾斜地１よりも緩傾斜となるので、その分緑化促進面６における植物の生育が促進されることになる。また、緑化促進面６における基盤材５の雨水による流失も防止できることになる。
【００４０】
次に、緑化用アンカー４の構成を部分的に変更した他の実施の形態について説明する。尚、前記実施の形態と同一部材には同一符号を付してその詳細な説明を省略する。
【００４１】
（１）図５（ａ）に示す緑化用アンカー４Ａのように、土留板３におけるアンカー材２とは反対側の面に平板状の保水材７Ａを接着剤などにより固定することができる。また、図５（ｂ）に示す緑化用アンカー４Ｂのように、土留板３におけるアンカー材２とは反対側の面の下部に棒状の保水材７Ｂを接着剤などにより固定することができる。更に、図５（ｃ）に示す緑化用アンカー４Ｃのように、土留板３におけるアンカー材２とは反対側の面の凹溝２０に保水材７Ｃを充填状に設けることもできる。更に、図５（ｄ）に示す緑化用アンカー４Ｄのように、土留板３におけるアンカー材２とは反対側の面側に平板状の保水材７Ｄを設け、保水材７Ｄの下端部を土留板３の下部にヒンジ２１を介して連結し、緑化用アンカー４Ｄの輸送時には、実線で図示の折畳姿勢に保水材７Ｄを保持させて、緑化用アンカー４Ｄの輸送性を確保し、緑化用アンカー４Ｄの施工時には、仮想線で図示の使用姿勢に回動させて、その上側に吹き付けられる基盤材５の保水性を向上できるように構成することも好ましい実施の形態である。
【００４２】
（２）図６に示す緑化用アンカー４Ｅように、アンカー材２に代えて、傾斜地１への取付部２５と土留板３の固定部２６とを有する側面視略Ｌ字状の固定具２７と、固定具２７の取付部２５を傾斜地１に対して固定するためのアンカーピン２８又はアンカー釘２９とを有するアンカー材２Ｅを用いることもできる。この場合には、傾斜地１の勾配や使用目的等に応じて、アンカーピン２８又はアンカー釘２９で緑化用アンカー４Ｅを固定できるので、緑化用アンカー４Ｅの施工作業性を向上できる。例えば、勾配が比較的小さい傾斜地１においては、コンクリート釘などからなるアンカー釘２９を用いて、緑化用アンカー４を傾斜地１に対して簡易に固定でき、勾配が比較的大きい場合には、アンカーピン２８を用いて、傾斜地１に対する緑化用アンカー４の結合強度を十分に確保することができる。固定具２７に対して土留板３を溶接等により一体的に固定することもできるが、固定具２７に対して土留板３を着脱可能に固定すると、輸送時等において、固定具２７から土留板３を切り離して、両者をそれぞれ別個に梱包できるので、緑化用アンカー４Ｅの輸送性を向上できる。
【００４３】
（３）図７に示す緑化用アンカー４Ｆのように、アンカー材２に代えて、土留板３の山裾側の面に固定した固定部３０と、固定部３０の下端部から傾斜地１に沿って山側へ延びる第１取付部３１と、固定部３０の上端部から山裾側へ斜めに延びる支持部３２と、支持部３２の下端部から傾斜地１に沿って山裾側へ延びる第２取付部３３とを有する固定具３４と、固定具３４の両取付部３１、３３を傾斜地１に対して固定するためのアンカーピン３５又はアンカー釘３６とを有するアンカー材２Ｆを用いることもできる。この緑化用アンカー４Ｆでは、傾斜地１の勾配や使用目的等に応じて、アンカーピン３５又はアンカー釘３６で緑化用アンカー４Ｆを固定できるので、緑化用アンカー４Ｆの施工作業性を向上できる。尚、固定部３０に対して土留板３を溶接等により一体的に固定したが、ビス等の固定具３４を用いて、固定部３０に対して土留板３を着脱自在に固定することもできる。
【００４４】
（４）図８に示す緑化用アンカー４Ｇのように、アンカー材２に代えて、金属線を側面視３角形状に折り曲げて成る支持具４０と、支持具４０を傾斜地１に固定するアンカー釘４１とを有するアンカー材２Ｇを用い、アンカー釘４１を支持具４０の山側端部に設けたリング部材４２に挿通させて、緑化用アンカー４Ｇを傾斜地１に固定することもできる。アンカー材２Ｇは土留板３の長さ方向の中央部に支持具４０の金属線を掛けて溶接等により固定することができる。この場合には、アンカー材２Ｇの製作コストを低減できる。
【００４５】
（５）図９に示す緑化用アンカー４Ｈのように、金属製の土留板３に代えて、半割にした竹４５を上下に複数併設し、隣接する竹４５を連結リング４６などにより連結してなる土留板３Ｈを用いることもできる。この場合には、土留板３Ｈを竹４５で構成できるので、より一層環境に優しい傾斜地緑化工法を実現できる。
【００４６】
（６）図１０に示す緑化用アンカー４Ｊのように、金属製の土留板３に代えて、１本ものの竹５０を設定長さに切断してなる土留板３Ｊを用い、アンカー材２の上部に２本のピン部材５１を突出形成し、ピン部材５１を竹５０に挿通させて、その端部をかしめることにより、竹５０をアンカー材２に固定することができる。
【図面の簡単な説明】
【００４７】
【図１】傾斜地緑化工法を施した後の傾斜地の縦断面図
【図２】緑化用アンカーの斜視図
【図３】緑化用アンカー施工時の説明図
【図４】基盤砂施工時の説明図
【図５】(ａ)〜（ｄ）は他の構成の緑化用アンカーの側面図
【図６】他の構成の緑化用アンカーにおける、(ａ)は傾斜地への施工時の説明図、（ｂ）は斜視図
【図７】他の構成の緑化用アンカーにおける、(ａ)は傾斜地への施工時の説明図、（ｂ）は斜視図
【図８】他の構成の緑化用アンカーにおける、(ａ)は傾斜地への施工時の説明図、（ｂ）は斜視図
【図９】他の構成の緑化用アンカーにおける、(ａ)は傾斜地への施工時の説明図、（ｂ）は斜視図
【図１０】他の構成の緑化用アンカーにおける、(ａ)は傾斜地への施工時の説明図、（ｂ）は斜視図
【符号の説明】
【００４８】
１      傾斜地          ２      アンカー材
３      土留板          ４      緑化用アンカー
５      基盤材          ６      緑化促進面
７      保水材          ８      基盤砂
９      植生基盤        １０    保護網
１１    地盤            １２    硬質傾斜地
１３    取付孔          １４    固定紐
１５    貫通孔          １６    挿通孔
１７    砂礫層
４Ａ    緑化用アンカー  ７Ａ    保水材
４Ｂ    緑化用アンカー  ７Ｂ    保水材
７Ｃ    保水材          ４Ｃ    緑化用アンカー
２０    凹溝
４Ｄ    緑化用アンカー  ７Ｄ    保水材
２１    ヒンジ
２Ｅ    アンカー材      ４Ｅ    緑化用アンカー
２５    取付部          ２６    固定部
２７    固定具          ２８    アンカーピン
２９    アンカー釘
２Ｆ    アンカー材      ４Ｆ    緑化用アンカー
３０    固定部          ３１    第１取付部
３２    支持部          ３３    第２取付部
３４    固定具          ３５    アンカーピン
３６    アンカー釘
２Ｇ    アンカー材      ４Ｇ    緑化用アンカー
４０    支持具          ４１    アンカー釘
４２    リング部材
３Ｈ    土留板          ４Ｈ    緑化用アンカー
４５    竹              ４６    連結リング
４Ｊ    緑化用アンカー  ３Ｊ    土留材
５０    竹              ５１    ピン部材
【図１】
2007297889.tif 000003
【図２】
2007297889.tif 000004
【図３】
2007297889.tif 000005
【図４】
2007297889.tif 000006
【図５】
2007297889.tif 000007
【図６】
2007297889.tif 000008
【図７】
2007297889.tif 000009
【図８】
2007297889.tif 000010
【図９】
2007297889.tif 000011
【図１０】
2007297889.tif 000012